(57)【要約】【課題】庫内汚れレベルの判定を自動化し、庫内汚れレベルに応じた庫内洗浄の自動化にある。【解決手段】調理機（スチームコンベクションオーブン２）の庫内を洗浄する洗浄システムであって、食材のドリップ情報により汚れレベルを判定し、この汚れレベルに応じて洗剤量、洗浄水量または洗浄時間の何れかまたは二以上を算出し、この算出結果を用いて庫内洗浄を制御する制御部を備える。【選択図】図１
2020112327.tif 000002
【特許請求の範囲】
【請求項１】
調理機の庫内を洗浄する洗浄システムであって、
食材のドリップ情報により汚れレベルを判定し、この汚れレベルに応じて洗剤量、洗浄水量または洗浄時間の何れかまたは二以上を算出し、この算出結果を用いて庫内洗浄を制御する制御部を備えることを特徴とする洗浄システム。
【請求項２】
さらに、情報提示部を備え、前記制御部は、前記洗剤量、前記洗浄水量または前記洗浄時間の何れかまたは二以上を含む提示情報を前記情報提示部に提示させることを特徴とする請求項１に記載の洗浄システム。
【請求項３】
さらに、前記汚れレベルが基準レベルに到達したとき、前記制御部は前記庫内洗浄を促す告知情報を情報提示部に提示させることを特徴とする請求項１に記載の洗浄システム。
【請求項４】
前記汚れレベルが基準レベルに到達したとき、前記制御部は、前記調理機の休止時に洗浄モードに移行させることを特徴とする請求項１ないし請求項３の何れかの請求項に記載の洗浄システム。
【請求項５】
調理庫と、
食材のドリップ情報により汚れレベルを判定し、該汚れレベルに応じて洗剤量、洗浄水量または洗浄時間の何れかまたは二以上を算出し、この算出結果を用いて庫内洗浄を制御する制御部を備えることを特徴とする調理機。
【請求項６】
さらに、情報提示部を備え、前記制御部は、前記洗剤量、前記洗浄水量、前記洗浄時間の何れかまたは二以上を含む提示情報を前記情報提示部に提示させることを特徴とする請求項５に記載の調理機。
【請求項７】
さらに、前記汚れレベルが基準レベルに到達したとき、前記制御部は前記庫内洗浄を促す告知情報を前記情報提示部に提示させることを特徴とする請求項５に記載の調理機。
【請求項８】
前記汚れレベルが基準レベルに到達したとき、前記制御部は、前記調理機の休止時に洗浄モードに移行させることを特徴とする請求項５ないし請求項７の何れかの請求項に記載の調理機。
【請求項９】
コンピュータに実現させるためのプログラムであって、
食材のドリップ情報を取り込む機能と、
前記ドリップ情報により汚れレベルを判定する機能と、
前記汚れレベルに応じて洗剤量、洗浄水量または洗浄時間の何れかまたは二以上を算出する機能と、
前記汚れレベルに応じて庫内洗浄を制御する機能と、
を前記コンピュータに実現させるためのプログラム。
【請求項１０】
さらに、前記汚れレベルが基準レベルに到達したとき、前記調理機の休止時に前記庫内洗浄を行わせる機能と、
を前記コンピュータに実現させるための請求項９に記載のプログラム。
【請求項１１】
食材のドリップ情報を取り込む工程と、
前記ドリップ情報により汚れレベルを判定する工程と、
前記汚れレベルに応じて洗剤量、洗浄水量または洗浄時間の何れかまたは二以上を算出する工程と、
前記汚れレベルに応じて庫内洗浄を制御する工程と、
を含むことを特徴とする洗浄方法。
【請求項１２】
さらに、前記汚れレベルが基準レベルに到達したとき、前記調理機の休止時に前記庫内洗浄を行う工程を含むことを特徴とする請求項１１に記載の洗浄方法。
【発明の詳細な説明】
【技術分野】
【０００１】
本発明は、スチームコンベクションオーブンなどの調理機の庫内洗浄に関する。
【背景技術】
【０００２】
スチームコンベクションオーブンなどの調理機では、食材の加熱調理で生じる庫内の汚れを洗浄する洗浄システムが備えられる。
従来の庫内洗浄に関し、自動クリーニング機能を備えるスチームコンベクションオーブンには庫内の側壁に洗剤散布用ノズルが設置され、この洗剤散布用ノズルから庫内に洗浄液を散布し、天井側のシャワーヘッドから庫内に洗浄シャワーを噴出させることにより、庫内洗浄を行うことが知られている（たとえば、特許文献１）。
蒸気発生タンクの洗浄も行えるスチームコンベクションオーブンでは、循環系統に洗剤を投入することにより、洗剤を含む湯を庫内に散布し、タンク内の汚れを落とし易くする工夫も知られている（たとえば、特許文献２）。
【先行技術文献】
【特許文献】
【０００３】
【特許文献１】特開平１０−１８５１９７号公報
【特許文献２】特開２０１０−３８５０１号公報
【発明の概要】
【発明が解決しようとする課題】
【０００４】
ところで、スチームコンベクションオーブンの洗浄システム（たとえば、特許文献１）では、庫内への洗浄液の散布や、洗浄シャワーの噴出などが自動で行われるが、庫内の汚れ状態をユーザーが確認し、洗浄レベルを調整している。つまり、調理時間や調理内容を考慮しつつ、庫内の汚れ具合をユーザーが確認し、洗浄することが必要であった。スチームコンベクションオーブンが設置された店舗の繁忙状態によっては、洗浄間隔が長くなり、汚れた状態で使用しなければならないという課題がある。洗浄後の状態によっては、再洗浄を余儀なくされることも課題である。
【０００５】
洗浄を自動化したスチームコンベクションオーブンにおいて、一定の周期で洗浄を行えば、庫内を常に清浄化できる点で有効である。しかし、調理内容によっては庫内の汚れの程度が低い場合も画一的に洗浄を行うこととなり、洗剤を過剰に消費するといった課題もある。
庫内における汚れの程度を確認し、洗剤を調整することは理想ではあるが、業務上、汚れ状況から洗浄レベルを選択することはユーザーに面倒を強いることとなり、設定した洗浄レベルが不足していれば、再洗浄が必要となるといった不都合も無視できない。
そこで、本発明の目的は、庫内の汚れレベル判定を自動化し、庫内汚れレベルに応じた庫内洗浄を自動化することにある。
【課題を解決するための手段】
【０００６】
上記目的を達成するため、本発明の洗浄システムの一側面によれば、調理機の庫内を洗浄する洗浄システムであって、食材のドリップ情報により汚れレベルを判定し、この汚れレベルに応じて洗剤量、洗浄水量または洗浄時間の何れかまたは二以上を算出し、この算出結果を用いて庫内洗浄を制御する制御部を備える。
この洗浄システムにおいて、さらに、情報提示部を備え、前記制御部は、前記洗剤量、前記洗浄水量または前記洗浄時間の何れかまたは二以上を含む提示情報を前記情報提示部に提示させてもよい。
この洗浄システムにおいて、さらに、前記汚れレベルが基準レベルに到達したとき、前記制御部は前記庫内洗浄を促す告知情報を情報提示部に提示させてもよい。
この洗浄システムにおいて、前記汚れレベルが基準レベルに到達したとき、前記制御部は、前記調理機の休止時に前記調理機を洗浄モードに移行させてよい。
【０００７】
上記目的を達成するため、本発明の調理機の一側面によれば、調理庫と、食材のドリップ情報により汚れレベルを判定し、該汚れレベルに応じて洗剤量、洗浄水量または洗浄時間の何れかまたは二以上を算出し、この算出結果を用いて庫内洗浄を制御する制御部を備える。
この調理機において、さらに、情報提示部を備え、前記制御部は、前記洗剤量、前記洗浄水量、前記洗浄時間の何れかまたは二以上を含む提示情報を前記情報提示部に提示させてよい。
この調理機において、さらに、前記汚れレベルが基準レベルに到達したとき、前記制御部は前記庫内洗浄を促す告知情報を情報提示部に提示させてよい。
この調理機において、前記汚れレベルが基準レベルに到達したとき、前記制御部は、前記調理機の休止時に洗浄モードに移行させてよい。
【０００８】
上記目的を達成するため、本発明のプログラムの一側面によれば、コンピュータに実現させるためのプログラムであって、食材のドリップ情報を取り込む機能と、前記ドリップ情報により汚れレベルを判定する機能と、前記汚れレベルに応じて洗剤量、洗浄水量または洗浄時間の何れかまたは二以上を算出する機能と、前記汚れレベルに応じて庫内洗浄を制御する機能とを前記コンピュータに実現させる。
このプログラムにおいて、さらに、前記汚れレベルが基準レベルに到達したとき、前記調理機の休止時に前記庫内洗浄を行わせる機能を前記コンピュータに実現させてよい。
【０００９】
上記目的を達成するため、本発明の洗浄方法の一側面によれば、食材のドリップ情報を取り込む工程と、前記ドリップ情報により汚れレベルを判定する工程と、前記汚れレベルに応じて洗剤量、洗浄水量または洗浄時間の何れかまたは二以上を算出する工程と、前記汚れレベルに応じて庫内洗浄を制御する工程とを含む。
この洗浄方法において、さらに、前記汚れレベルが基準レベルに到達したとき、前記調理機の休止時に前記庫内洗浄を行う工程を含んでよい。
【発明の効果】
【００１０】
本発明によれば、次の何れかの効果が得られる。
(1) 庫内の汚れレベルを食材のドリップ情報により自動的に判定でき、判定した汚れレベルに応じて洗剤量、洗浄水量または洗浄時間の何れかまたは二以上を自動設定でき、庫内洗浄の効率化や合理化を図ることができる。
(2) 庫内洗浄の際、庫内の清浄状態や洗浄後の状態の確認や再洗浄などの作業からユーザーを開放することができる。
(3) 食材から流出するドリップ量を含むドリップ情報に応じて庫内の清浄化を図ることができるとともに、高い洗浄効果を得ることができる。
【図面の簡単な説明】
【００１１】
【図１】Ａは第１の実施の形態に係るスチームコンベクションオーブンを示す図、Ｂは調理容器内のドリップ検出を示す図である。
【図２】洗浄システムを構成する制御部のハードウェアを示す図である。
【図３】ドリップ量に対する庫内の汚れレベルの推移を示す図である。
【図４】庫内の汚れ情報を示す図である。
【図５】ドリップ量・汚れレベル換算情報ファイルを示す図である。
【図６】汚れレベルと洗剤量、洗浄水量または洗浄時間の関係を示す図である。
【図７】汚れレベル・洗剤量など換算情報ファイルを示す図である。
【図８】複数の洗浄情報ファイルを示す図である。
【図９】第１の実施の形態に係る庫内洗浄の処理手順を示すフローチャートである。
【図１０】第２の実施の形態に係る洗浄情報ファイルを示す図である。
【図１１】第２の実施の形態に係る庫内洗浄の処理手順を示すフローチャートである。
【図１２】第３の実施の形態に係る洗浄情報ファイルを示す図である。
【図１３】第３の実施の形態に係る庫内洗浄の処理手順を示すフローチャートである。
【発明を実施するための形態】
【００１２】
〔第１の実施の形態〕
図１は、本発明の第１の実施の形態に係るスチームコンベクションオーブンを示している。図１に示す構成は一例であり、斯かる構成に本発明が限定されるものではない。
【００１３】
このスチームコンベクションオーブン２は本発明の洗浄システムまたは調理機の一例であり、食材Ｆの焼く、蒸す、揚げる、煮る、炊く、茹でるなどの何れかまたは二以上を含む調理、真空調理、加熱調理などの各種調理法に用いられるマルチ調理機である。このスチームコンベクションオーブン２には調理庫４、調理機能部６、洗浄機能部８、ドリップ情報取得部１０、制御部１２、モニター１４、操作入力部１６が備えられる。
調理庫４は、調理機本体の一例であるオーブン本体１８に設置されており、食材Ｆの調理に用いられる調理エリアである。この調理庫４にはラック１９が備えられ、このラック１９に食材Ｆを収容するホテルパンなどの調理容器２０が着脱可能に設置される。調理庫４では調理容器２０において、調理機能部６により加熱、蒸気の何れか一方または双方による加熱調理が行われる。
【００１４】
調理機能部６には制御部１２により制御される加熱部２２およびスチーム生成部２４が備えられる。加熱部２２にはたとえば、庫内加熱用の熱交換器が備えられる。この熱交換器は電熱または燃焼熱を熱源とし、この熱源の熱を庫内空気に熱交換して庫内を加熱する。スチーム生成部２４には制御部により制御されて調理用蒸気を発生する蒸気発生器が備えられる。したがって、制御部１２の制御により調理機能部６に設定される調理モードには、熱風のみによるオーブンモード、熱風と蒸気によるコンビモード、蒸気のみによるスチームモードまたはバイオモードが含まれる。
【００１５】
洗浄機能部８には制御部１２により制御される洗浄部２６および洗剤供給部２８が備えられる。各種の食材Ｆを加熱すると、調理容器２０から油などが飛び散り、調理容器２０や調理庫４の庫内に汚れが付着する。この汚れを洗浄する手段として洗浄機能部８が備えられる。洗浄機能部８は制御部１２の制御により庫内洗浄を行う。この庫内洗浄には、洗剤および洗浄水を用いて行う少なくとも調理庫４の内壁のみの洗浄の他、調理容器２０などの全ての洗浄を含んでもよい。洗浄部２６には制御部１２の制御により、洗浄水を圧送する機構や、その加熱機構などの他、上水や温水などの洗浄水を庫内に噴射する噴射ノズルなどが備えられる。洗剤供給部２８は制御部１２の制御により、洗剤を調理庫４内に供給する。洗剤は粉末状、顆粒状、液状の何れでもよい。
【００１６】
ドリップ情報取得部１０はこの実施の形態では、一例として最下段の調理容器２０をレベル検出容器に兼用し、この調理容器２０にドリップレベルセンサー２９を備える。このドリップレベルセンサー２９は光学的センサー、抵抗計など、食材Ｆから調理容器２０に流出したドリップＤＲのレベルを検出する。
【００１７】
制御部１２は通信機能を備えるコンピュータで構成し、食材Ｆの調理、ドリップ情報の取得、庫内の汚れレベルの判定、少なくとも洗剤量、洗浄水量または洗浄時間の何れかの算出、庫内洗浄などの情報処理を行う。
モニター１４は制御部１２により情報提示する情報提示部の一例であり、調理情報、洗浄情報などの各種の提示情報を提示する。
操作入力部１６はユーザー操作による情報入力に用いられる。この操作入力部１６にはたとえば、モニター１４の表示画面に設置されたタッチパネルの他、バーコード入力機器を含んでよい。
【００１８】
図示しないが、調理庫４にはカメラを備え、庫内を撮影する機構を備えてよい。この庫内撮影のタイミングはたとえば、調理前、調理中または調理後、洗浄後の何れでもよい。庫内撮影は、カメラが撮影により、撮影時期に関係づけられた庫内画像を生成し、制御部１２が記憶手段に記録する。この庫内画像には調理庫４の内壁面の撮影画像のほか、庫内に設置された各種の部材たとえば、ホテルパンなどの調理容器２０の撮影画像を取得し、この画像を庫内画像としてもよい。
【００１９】
ドリップ情報取得部１０によるドリップ情報の取得は、図１のＢに示すように、レベル検出容器に兼用させた調理容器２０にドリップレベルセンサー２９を設置し、このドリップレベルセンサー２９の検出部を食材Ｆから流出したドリップＤＲに浸漬させている。つまり、ドリップＤＲはドリップレベルセンサー２９に検出され、そのレベルを表す検出出力をドリップ情報としてドリップ情報取得部１０が取得することができる。他のレベル検出方法として、たとえば、ドリップＤＲの有無、そのレベル上昇を光学的に検出してもよい。
この実施の形態では最下段の調理容器２０にドリップレベルセンサー２９を設置しているが、最下段以外の調理容器２０に設置してもよいし、複数の調理容器２０に設置された各ドリップレベルセンサー２９からレベル情報を得てドリップ情報を取得する構成としてもよい。
【００２０】
＜制御部１２のハードウェア＞
図２は、洗浄システムを構成する制御部１２のハードウェアを示している。図２において、図１と同一部分には同一符号を付している。
この制御部１２にはプロセッサ３０、メモリ部３２、入出力部（Ｉ／Ｏ）３４、通信部３６が備えられる。プロセッサ３０は情報処理を実行する処理部の一例であり、メモリ部３２に格納されているＯＳ（Operating System）、調理プログラム、洗浄プログラムなどの各種のプログラムより情報処理を行う。このプロセッサ３０による情報処理には、調理制御、ドリップ情報の取得、ドリップ情報を用いた庫内の汚れレベルの判定、該汚れレベルに応じて洗剤量、洗浄水量または洗浄時間の何れかまたは二以上の算出、この算出結果による庫内洗浄の制御が含まれる。メモリ部３２にはＯＳ、調理プログラム、洗浄プログラムなどの各種のプログラムを格納し、ＲＯＭ（Read Only Memory）、ＲＡＭ（Random Access Memory）、ＥＥＰＲＯＭ（Electrically Erasable and Programmable Read Only Memory ）などの記憶素子が用いられる。このメモリ部３２にはプロセッサ３０に無線接続または有線接続などにより接続されるハードディスク装置などの外部記憶装置を用いてもよい。
【００２１】
Ｉ／Ｏ３４は、プロセッサ３０の制御により、ドリップ情報などの情報を取込み、調理機能部６、洗浄機能部８などへの制御情報の出力を含む情報の入出力を行う。通信部３６はプロセッサ３０の制御により、外部機器やサーバーとの情報処理のための通信を実行する。
Ｉ／Ｏ３４には調理機能部６を構成する加熱部２２およびスチーム生成部２４、洗浄機能部８を構成する洗浄部２６および洗剤供給部２８、他の機能部としてモニター１４および操作入力部１６、ドリップレベルセンサー２９が接続されている。したがって、Ｉ／Ｏ３４では、操作入力部１６の操作入力の取込み、調理機能部６の稼働制御出力の取出しおよびドリップセンサー２９からのドリップ情報の取得、洗浄部２６や洗剤供給部２８への制御出力の入力などが行われる。
【００２２】
＜制御部１２による情報処理＞
プロセッサ３０で実行する情報処理には、ａ）調理制御、ｂ）ドリップ情報の取得、ｃ）庫内の汚れレベルの判定、ｄ）洗剤量、洗浄開始時期または洗浄時間の算出、ｅ）洗浄情報の生成などが含まれる。
ａ）調理制御
プロセッサ３０は、加熱部２２およびスチーム生成部２４の個別制御または両者の統合制御により、調理モードとして調理庫４を熱風のみによるオーブンモード、熱風と蒸気によるコンビモード、蒸気のみによるスチームモード、またはバイオモードに設定する。
【００２３】
ｂ）ドリップ情報の取得
プロセッサ３０は調理機能部６の調理制御を経た後、ドリップレベルセンサー２９からドリップレベルを取得する。このドリップレベルを用いてドリップ情報としてドリップ量を算出する。このドリップ量は、メモリ部３２のドリップ量・汚れレベル換算情報ファイル３８（図５）に格納し、ドリップレベル、ドリップ量および積算ドリップ量を含むドリップ情報はメモリ部３２の洗浄情報ファイル４０−１ａ、４０−１ｂ、４０−１ｃ（図８）に格納する。
ｃ）庫内の汚れレベルの判定
調理機能部６の稼働により、庫内に汚れが生じる。プロセッサ３０は、調理機能部６の稼働によって食材Ｆから流出するドリップ量を含むドリップ情報を用いることにより、庫内の汚れレベルを判定する。この判定結果は洗浄情報ファイル４０−１ａ、４０−１ｂ、４０−１ｃ（図８）に格納される。
【００２４】
ｄ）洗剤量、洗浄開始時期または洗浄時間の算出
プロセッサ３０は、庫内の汚れレベルを表す汚れレベルの判定結果を用いて洗剤量、洗浄水量または洗浄時間の何れかを算出する。洗剤量は洗剤供給部２８からスチームコンベクションオーブン２の庫内への洗剤の供給量であり、洗浄途上の追加的な補正量も含む。この洗剤量は洗浄情報ファイル４０−１ａ（図８のＡ）に格納する。洗浄水量は庫内の汚れレベルを表す汚れレベルの判定結果を用いて算定された洗浄水の供給量であり、洗浄情報ファイル４０−１ｂ（図８のＢ）に格納する。また、洗浄時間は庫内の汚れレベルを表す汚れレベルの判定結果を用いて算定された洗浄時間であり、洗浄情報ファイル４０−１ｃ（図８のＣ）に格納する。
【００２５】
ｅ）提示情報の生成
プロセッサ３０は洗浄時、洗剤量、洗浄水量または洗浄時間の何れかの提示情報を生成する。この提示情報はプロセッサ３０によりメモリ部３２の格納情報（ドリップ量・汚れレベル換算情報ファイル３８）を用いて算出される。この算出結果は洗浄情報ファイル４０−１ａ、４０−１ｂ、４０−１ｃ（図８）に格納されるとともに、モニター１４に表示される。
【００２６】
＜汚れレベルの推移と庫内洗浄の契機＞
図３は、庫内の汚れレベルの推移を示している。このレベル推移は汚れレベルの変動情報を説明するための想定情報であり、斯かる情報に本発明が限定されるものではない。
図３において、横軸に調理庫４のドリップ量ＤＲｍ、縦軸に庫内の汚れレベルＤを示している。調理庫４で繰り返し調理が行われることにより、庫内の汚れは時間経過により増加することになる。
ドリップ量０ではたとえば、洗浄直後の庫内の汚れレベルＤ＝Ｄ０を示している。繰り返し調理が行われると、調理開始をドリップ量０とすれば、ドリップ量ＤＲｍ１、ＤＲｍ２、ＤＲｍ３、ＤＲｍ４、ＤＲｍ５の増加により、汚れレベルＤはＤ＝Ｄ０（初期汚れ）からＤ＝Ｄ１、Ｄ２、Ｄ３、Ｄ４、またはＤ５に増加する。これら汚れレベルＤの推移に対し、Ｄｒｅｆは庫内洗浄に移行すべき基準レベルである。この基準レベルＤｒｅｆは、庫内洗浄を促す告知情報の出力判断に用いることができる。
【００２７】
図４は、庫内の汚れ情報４２を示している。この汚れ情報４２はたとえば、庫内内壁などの特定箇所をカメラで撮影し、これを画像処理した情報であり、ドリップ情報と汚れレベルの相関性を表す情報である。この汚れ情報４２において、汚れレベルＤ０では洗浄直後であり、清浄状態にあることを表している。これに対し、汚れレベルＤ＝Ｄ１、Ｄ２、Ｄ３、Ｄ４、Ｄ５に従って、汚れ情報４２はたとえば、明度が低下し、汚れ状態の悪化傾向を表している。この汚れレベルＤ＝Ｄ０、Ｄ１、Ｄ２、Ｄ３、Ｄ４、Ｄ５および基準レベルＤｒｅｆはドリップ量・汚れレベル換算情報ファイル３８（図５）に格納される。
【００２８】
＜ドリップ量・汚れレベル換算情報ファイル３８＞
このドリップ量・汚れレベル換算情報ファイル３８には、食材Ｆのドリップ情報として食材Ｆから流出するドリップの量、このドリップ情報を汚れレベルに換算する換算情報などが格納される。ドリップ情報はたとえばドリップの量であり、汚れレベルを表す情報は庫内の汚れを表す汚れ情報４２（図４）である。
このドリップ量・汚れレベル換算情報ファイル３８には図５に示すように、番号部４４、ドリップ量部４６、汚れレベル部４８および基準レベル部５０が含まれる。番号部４４には情報を識別する番号情報が格納される。ドリップ量部４６には調理により食材Ｆから流出するドリップ量が格納される。汚れレベル部４８には汚れレベルＤを表す情報が格納される。この汚れレベル部４８に格納される情報は画像でもよいし、汚れを数値化した情報の何れでもよい。基準レベル部５０には基準レベル情報Ｄｒｅｆが格納される。したがって、このドリップ量・汚れレベル換算情報ファイル３８によれば、ドリップ量が汚れレベルＤに換算される。
【００２９】
＜汚れレベルＤに対応する洗剤量ＷＭ、洗浄水量Ｒまたは洗浄時間Ｔｍの算出＞
図６は、汚れレベルＤに対応する洗剤量ＷＭ、洗浄水量Ｒまたは洗浄時間Ｔｍを示している。この特性は一例であり、斯かる特性に本発明が限定されるものではない。
庫内洗浄に必要な洗剤量ＷＭ、洗浄水量Ｒまたは洗浄時間Ｔｍは、汚れレベルＤに比例的に増加する傾向を呈する。つまり、汚れレベルＤ３では、洗剤量ＷＭ＝ＷＭ３、洗浄水量Ｒ＝Ｒ３、洗浄時間Ｔｍ＝Ｔｍ３を求めることができる。
【００３０】
＜汚れレベル・洗剤量など換算情報ファイル５２＞
図７は、汚れレベル・洗剤量など換算情報ファイル５２の一例を示している。汚れレベル・洗剤量など換算情報ファイル５２は、図６の特性をデータ化したものであり、メモリ部３２に汚れレベルの洗剤量などへの換算情報が格納される。
この汚れレベル・洗剤量など換算情報ファイル５２には、汚れレベル部５４、洗剤量部５６、洗浄水量部５８および洗浄時間部６０が含まれる。汚れレベル部５４には汚れレベルＤが格納される。洗剤量部５６にはたとえば、汚れレベルにより求められた洗剤量ＷＭを表す情報が格納される。洗浄水量部５８にはたとえば、汚れレベルにより求められた洗浄水量Ｒを表す情報が格納される。洗浄時間部６０にはたとえば、洗浄に必要な洗浄時間Ｔｍが格納される。
【００３１】
＜洗浄情報ファイル４０−１ａ＞
この洗浄情報ファイル４０−１ａは洗浄情報の一例であり、メモリ部３２に制御情報として格納される。
この洗浄情報ファイル４０−１ａには図８のＡに示すように、番号部６２、ドリップ情報部６４、汚れレベル部６６、洗剤量部６８、洗浄履歴部７０が含まれる。番号部６２には情報を識別する番号情報が格納される。
ドリップ情報部６４にはスチームコンベクションオーブン２の調理によって食材Ｆから生じるドリップ量を含むドリップ情報が格納され、ドリップレベル部６４−１には検出されたドリップレベル、ドリップ量部６４−２にはドリップレベルを用いて算出したドリップ量が格納され、積算ドリップ量部６４−３にはドリップ量の積算値が格納される。汚れレベル部６６には汚れレベルの判定結果である汚れレベルＤを表すレベル情報が格納される。
洗剤量部６８には汚れレベルに応じて算出された洗剤量情報が格納される。洗浄履歴部７０には洗浄機能部８の洗浄履歴として、洗浄開始時期、洗浄終了時期、汚れレベルに応じた洗浄時間などの履歴情報が格納される。
【００３２】
＜洗浄情報ファイル４０−１ｂ＞
この洗浄情報ファイル４０−１ｂは洗浄情報の一例であり、メモリ部３２に制御情報として格納される。
この洗浄情報ファイル４０−１ｂには図８のＢに示すように、番号部６２、ドリップ情報部６４、汚れレベル部６６、洗浄履歴部７０、洗浄水量部７２が含まれる。洗浄水量部７２は、汚れレベルに応じて算出された洗浄水量情報が格納される。番号部６２、ドリップ情報部６４、汚れレベル部６６および洗浄履歴部７０は既述したので、その説明を割愛する。
【００３３】
＜洗浄情報ファイル４０−１ｃ＞
この洗浄情報ファイル４０−１ｃは洗浄情報の一例であり、メモリ部３２に制御情報として格納される。
この洗浄情報ファイル４０−１ｃには図８のＣに示すように、番号部６２、ドリップ情報部６４、汚れレベル部６６、洗浄履歴部７０、洗浄時間部７４が含まれる。洗浄時間部７４は、汚れレベルに応じて算出された洗浄時間情報が格納される。番号部６２、ドリップ情報部６４、汚れレベル部６６および洗浄履歴部７０は既述したので、その説明を割愛する。
【００３４】
＜処理手順＞
図９は、第１の実施の形態に係る庫内洗浄の処理手順を示している。この処理手順は本発明のプログラムの処理段階または洗浄方法の工程の一例である。処理手順において、Ｓは工程、Ｓに付した番号はその順序の一例を示している（以下、同様）。
この処理手順には、庫内洗浄前に、ドリップ量の汚れレベルへの換算、汚れレベルに応じた洗剤量、洗浄水量または洗浄時間の算出、汚れレベルが洗浄に必要なレベルに到達したときのアラート情報の生成およびその表示、汚れレベルが基準レベルに到達したとき、庫内洗浄の時期などの判断処理が含まれる。
この処理手順では、調理などの制御状態を監視し、ドリップ量の計測を行う（Ｓ１０１）。ドリップ量を積算し（Ｓ１０２）、積算ドリップ量を用いて汚れレベルに換算する（Ｓ１０３）。積算ドリップ量および汚れレベルを洗浄情報ファイル４０−１ａ、４０−１ｂ、４０−１ｃに格納する。この処理では洗浄情報ファイル４０−１ａ、４０−１ｂ、４０−１ｃの何れかを用いればよい。
【００３５】
プロセッサ３０は汚れレベルＤを判定し（Ｓ１０４）、庫内洗浄が必要かの判断を行い（Ｓ１０５）、庫内洗浄が必要でなければ（Ｓ１０５のＮＯ）、つまり、基準レベルＤｒｅｆを超えていなければ、待機状態となる。
庫内洗浄が必要であれば（Ｓ１０５のＹＥＳ）、汚れレベルＤを参照し、汚れレベルの洗浄に必要な洗剤量、洗浄水量または洗浄時間を算出し（Ｓ１０６）、この算出結果をメモリ部３２に格納し（Ｓ１０７）、洗剤量、洗浄水量または洗浄時間などの情報提示を行う（Ｓ１０８）。この情報提示はモニター１４の表示画面にたとえば、洗浄情報ファイル４０−１ａ、４０−１ｂ、４０−１ｃの何れかの内容を表示し、洗浄の必要性を告知するアラート情報などの告知情報を提示する。
【００３６】
庫内洗浄の条件成立の後、スチームコンベクションオーブン２が休止中かを判断する（Ｓ１０９）。つまり、夜間などのスチームコンベクションオーブン２の休止中の期間に洗浄モードに移行させ、スチームコンベクションオーブン２が稼働中または稼働停止中など、調理稼働が予定される時間帯であれば、待機状態を維持する。そして、スチームコンベクションオーブン２が休止中であれば（Ｓ１０９のＹＥＳ）、算出した洗剤量、洗浄水量または洗浄時間による庫内洗浄に移行し（Ｓ１１０）、この処理を終了する。
【００３７】
＜第１の実施の形態の効果＞
この第１の実施の形態によれば、次の何れかの効果が得られる。
(1) 調理により食材Ｆから流出するドリップ量を含むドリップ情報から汚れレベルを判定し、この汚れレベルが基準レベルＤｒｅｆを超えていれば、汚れレベルに応じた洗剤量、洗浄水量または洗浄時間の何れかを算出し、庫内洗浄レベルを任意のレベルに自動設定できる。
(2) 汚れレベルが基準レベルＤｒｅｆを超えていれば、洗浄告知を行うことができ、ユーザーは洗浄の必要性を自動的に認識できる。
(3) 洗浄モードへの移行は、深夜など、スチームコンベクションオーブン２の稼働が予定されていない時間帯に設定でき、調理業務を妨げることなく、スチームコンベクションオーブン２の庫内を自動的に清浄化することができる。
(4) 常にスチームコンベクションオーブン２の庫内を清浄化できるので、スチームコンベクションオーブン２による調理の安心、安全性を高めることができる。
【００３８】
〔第２の実施の形態〕
第２の実施の形態に係るスチームコンベクションオーブン２では、第１の実施の形態における洗剤量の算出に加え、洗浄水量を算出し、庫内洗浄を実施する。この庫内洗浄には洗浄情報ファイル４０−２（図１０）が用いられる。
【００３９】
＜洗浄情報ファイル４０−２＞
この洗浄情報ファイル４０−２において、洗浄情報ファイル４０−１ａ、４０−１ｂまたは４０−１ｃ（図８のＡ、ＢまたはＣ）と同一部分には同一符号を付してある。この洗浄情報ファイル４０−２は洗浄情報の一例であり、メモリ部３２に制御情報として格納される点は上記実施の形態と同様である。そして、この洗浄情報ファイル４０−２には図１０に示すように、既述の番号部６２、ドリップ情報部６４、汚れレベル部６６、洗剤量部６８、洗浄履歴部７０に加え、洗浄水量部７２が含まれる。
洗浄水量部７２には汚れレベルに応じて算出された洗浄水量情報、つまり、汚れの洗浄に必要な洗浄水の水量情報が格納される。
【００４０】
＜処理手順＞
図１１は、第２の実施の形態に係る庫内洗浄の処理手順を示している。この処理手順は本発明のプログラムの処理段階または洗浄方法の工程の一例である。この処理手順では、庫内洗浄前に、ドリップ量の汚れレベルへの換算、汚れレベルに応じた洗剤量および洗浄水量の算出処理やその提示処理、汚れレベルが洗浄に必要なレベルに到達したときのアラート情報の生成およびその表示、汚れレベルが基準レベルに到達したとき、庫内洗浄の時期などの判断処理が含まれる。
この処理手順においても、調理などの制御状態を監視し、ドリップ量の計測を行う（Ｓ２０１）。ドリップ量を積算し（Ｓ２０２）、積算ドリップ量を用いて汚れレベルに換算する（Ｓ２０３）。積算ドリップ量および汚れレベルを洗浄情報ファイル４０−２（図１０）に格納する。
【００４１】
プロセッサ３０は汚れレベルＤを判定し（Ｓ２０４）、庫内洗浄が必要かの判断を行い（Ｓ２０５）、庫内洗浄が必要でなければ（Ｓ２０５のＮＯ）、つまり、基準レベルＤｒｅｆを超えていなければ、待機状態となる。
庫内洗浄が必要であれば（Ｓ２０５のＹＥＳ）、汚れレベルＤを参照し、汚れレベルの洗浄に必要な洗剤量および洗浄水量を算出し（Ｓ２０６）、この算出結果をメモリ部３２に格納し（Ｓ２０７）、洗剤量および洗浄水量などの情報提示を行う（Ｓ２０８）。この情報提示はモニター１４の表示画面にたとえば、洗浄情報ファイル４０−２の内容を表示し、洗浄の必要性を告知するアラート情報などの告知情報を提示する。
【００４２】
庫内洗浄の条件成立の後、スチームコンベクションオーブン２が休止中かを判断する（Ｓ２０９）。つまり、夜間などのスチームコンベクションオーブン２の休止中の期間に洗浄モードに移行させ、スチームコンベクションオーブン２が稼働中または稼働停止中など、調理稼働が予定される時間帯であれば、待機状態を維持する。そして、スチームコンベクションオーブン２が休止中であれば（Ｓ２０９のＹＥＳ）、算出した洗剤量および洗浄水量による庫内洗浄に移行し（Ｓ２１０）、この処理を終了する。
【００４３】
＜第２の実施の形態の効果＞
この第２の実施の形態によれば、第１の実施の形態の効果に加え、次の何れかの効果が得られる。
(1) 汚れレベルに応じて洗浄に必要な洗剤量および洗浄水量を算出し、これら洗剤量および洗浄水量の情報を提示することができる。
(2) 洗剤量および洗浄水量が汚れレベルに応じて規制でき、洗剤量および洗浄水の過剰利用を防止できる。
【００４４】
〔第３の実施の形態〕
第３の実施の形態に係るスチームコンベクションオーブン２では、第２の実施の形態における洗剤量、洗浄水量の算出に加え、洗浄時間を算出し、この洗浄時間で庫内洗浄を実施する。この庫内洗浄には洗浄情報ファイル４０−３（図１２）が用いられる。
【００４５】
＜洗浄情報ファイル４０−３＞
この洗浄情報ファイル４０−３において、洗浄情報ファイル４０−２（図１０）と同一部分には同一符号を付してある。この洗浄情報ファイル４０−３は洗浄情報の一例であり、メモリ部３２に制御情報として格納される点は上記実施の形態と同様である。そして、この洗浄情報ファイル４０−３には図１２に示すように、既述の番号部６２、ドリップ情報部６４、汚れレベル部６６、洗剤量部６８、洗浄履歴部７０、洗浄水量部７２に加え、洗浄時間部７４が含まれる。
洗浄時間部７４には汚れレベルに応じて算出された洗浄に必要な洗浄時間、つまり、汚れの洗浄に必要な時間情報が格納される。
【００４６】
＜処理手順＞
図１３は、第３の実施の形態に係る庫内洗浄の処理手順を示している。この処理手順は本発明のプログラムの処理段階または洗浄方法の工程の一例である。この処理手順では、庫内洗浄前に、ドリップ量の汚れレベルＤへの換算、汚れレベルに応じた洗剤量の算出処理や、汚れレベルＤが洗浄に必要なレベルに到達したときのアラート情報の生成およびその表示、汚れレベルが基準レベルに到達したとき、庫内洗浄の時期などの判断処理、洗浄水量の算出に加え、洗浄時間の算出およびその提示が含まれる。
この処理手順においても、調理などの制御状態を監視し、ドリップ量の計測を行う（Ｓ３０１）。ドリップ量を積算し（Ｓ３０２）、積算ドリップ量を用いて汚れレベルに換算する（Ｓ３０３）。積算ドリップ量および汚れレベルを洗浄情報ファイル４０−３（図１２）に格納する。
【００４７】
プロセッサ３０は汚れレベルＤを判定し（Ｓ３０４）、庫内洗浄が必要かの判断を行い（Ｓ３０５）、庫内洗浄が必要でなければ（Ｓ３０５のＮＯ）、つまり、基準レベルＤｒｅｆを超えていなければ、待機状態となる。
庫内洗浄が必要であれば（Ｓ３０５のＹＥＳ）、汚れレベルＤを参照し、汚れレベルに応じた洗浄に必要な洗剤量、洗浄水量および洗浄時間を算出し（Ｓ３０６）、この算出結果をメモリ部３２に格納し（Ｓ３０７）、洗剤量、洗浄水量および洗浄時間などの情報提示を行う（Ｓ３０８）。この情報提示はモニター１４の表示画面にたとえば、洗浄情報ファイル４０−３の内容を表示し、洗浄の必要性を告知するアラート情報などの告知情報を提示する。
【００４８】
庫内洗浄の条件成立の後、スチームコンベクションオーブン２が休止中かを判断する（Ｓ３０９）。つまり、夜間などのスチームコンベクションオーブン２の休止中の期間に洗浄モードに移行させ、スチームコンベクションオーブン２が稼働中または稼働停止中など、調理稼働が予定される時間帯であれば、待機状態を維持する。そして、スチームコンベクションオーブン２が休止中であれば（Ｓ３０９のＹＥＳ）、算出した洗剤量、洗浄水量および洗浄時間による庫内洗浄に移行し（Ｓ３１０）、この処理を終了する。
【００４９】
＜第３の実施の形態の効果＞
この第３の実施の形態によれば、第２の実施の形態の効果に加え、次の何れかの効果が得られる。
(1) 汚れレベルに応じて洗浄に必要な洗浄時間を算出し、この洗浄時間に洗浄を行うことができる。
(2) 洗浄時間が算出されて提示されるので、スチームコンベクションオーブン２の計画的利用を図ることができる。
【００５０】
〔他の実施の形態〕
(1) 上記実施の形態では、調理機の一例としてスチームコンベクションオーブン２を例示したが、本発明はスチームコンベクションオーブン以外の調理機に利用することができる。
(2) 制御部はスチームコンベクションオーブン２の内部に設置したが、通信部３６を利用して通信機能を有するパーソナルコンピュータやサーバー装置との通信により、スチームコンベクションオーブン２の庫内洗浄を制御する構成としてもよい。
(3) 上記実施形態では、庫内の汚れレベルを判定するための情報として食材Ｆのドリップ情報を用いているが、このドリップ情報は、食材Ｆから庫内に流出するドリップの量、成分、密度、色などの各種の情報の何れかまたは二以上を用いてよい。
【００５１】
以上説明したように、本発明の最も好ましい実施の形態等について説明した。本発明は、上記記載に限定されるものではない。特許請求の範囲に記載され、または発明を実施するための形態に開示された発明の要旨に基づき、当業者において様々な変形や変更が可能である。斯かる変形や変更が、本発明の範囲に含まれることは言うまでもない。
【産業上の利用可能性】
【００５２】
本発明によれば、食材Ｆのドリップ情報から求めた汚れレベルに応じて洗浄を行うことができ、調理人などのユーザーが庫内の汚れを目視で監視して洗浄の契機となる洗浄レベルを設定するなどの作業から開放されるとともに、経済性の高い庫内清浄を行うことができる。
【符号の説明】
【００５３】
２  スチームコンベクションオーブン
４  調理庫
６  調理機能部
８  洗浄機能部
１０  ドリップ情報取得部
１２  制御部
１４  モニター
１６  操作入力部
１８  オーブン本体
１９  ラック
２０  調理容器
２２  加熱部
２４  スチーム生成部
２６  洗浄部
２８  洗剤供給部
２９  ドリップレベルセンサー
３０  プロセッサ
３２  メモリ部
３４  入出力部（Ｉ／Ｏ）
３６  通信部
３８  ドリップ量・汚れレベル換算情報ファイル
４０−１ａ、４０−１ｂ、４０−１ｃ  洗浄情報ファイル
４２  汚れ情報
４４  番号部
４６  ドリップ量部
４８  汚れレベル部
５０  基準レベル部
５２  汚れレベル・洗剤量など換算情報ファイル
５４  汚れレベル部
５６  洗剤量部
５８  洗浄水量部
６０  洗浄時間部
６２  番号部
６４  ドリップ情報部
６４−１  ドリップレベル部
６４−２  ドリップ量部
６４−３  積算ドリップ量部
６６  汚れレベル部
６８  洗剤量部
７０  洗浄履歴部
７２  洗浄水量部
７４  洗浄時間部
【図１】
2020112327.tif 000003
【図２】
2020112327.tif 000004
【図３】
2020112327.tif 000005
【図４】
2020112327.tif 000006
【図５】
2020112327.tif 000007
【図６】
2020112327.tif 000008
【図７】
2020112327.tif 000009
【図８】
2020112327.tif 000010
【図９】
2020112327.tif 000011
【図１０】
2020112327.tif 000012
【図１１】
2020112327.tif 000013
【図１２】
2020112327.tif 000014
【図１３】
2020112327.tif 000015